(57)【要約】【課題】他の機器と接続されるシャフトを回転可能に支持し、内部空間に圧力流体が設けられるチェック装置のケースに関し、寸法精度が良く、強度が高いチェック装置のケースを提供することを課題とする。【解決手段】ケース本体（ケース）１は、金属インサート２１と樹脂とからなり、金属インサート２１は、樹脂で埋め込まれる本体部２１ａと、樹脂で埋め込まれずにケース本体１の外部まで延出するケース取付部２１ｂ、２１ｃとを有している。【選択図】図１
2008111284.tif 000002
【特許請求の範囲】
【請求項１】
シャフトを回転可能に支持し、内部空間に圧力流体が設けられるチェック装置のケースにおいて、
金属インサートと樹脂とからなり、
前記金属インサートは、
前記樹脂で埋め込まれる本体部と、
前記樹脂で埋め込まれずに、前記ケースの外部まで延出するケース取付部とを有することを特徴とするチェック装置のケース。
【請求項２】
前記ケースは、
開放面を有し、前記金属インサートと前記樹脂からなる有底筒状のケース本体と、
前記ケース本体の開放面を覆う蓋とからなり、
前記金属インサートに、
前記ケース本体の外部まで延出し、折曲されることにより前記開放面を塞いでいる前記蓋に当接し、前記蓋が前記開放面から離脱するのを禁止する爪が形成されていることを特徴とする請求項１記載のチェック装置のケース。
【請求項３】
前記蓋の前記爪が当接する部分に、ストッパ面を形成し、
前記爪に前記ストッパ面に当接可能なストッパ部を形成し、
前記蓋が前記開放面より離脱する方向に移動すると、前記ストッパ面に前記ストッパ部が当接し、前記蓋の移動を禁止するようにしたことを特徴とする請求項２記載のチェック装置のケース。
【請求項４】
前記蓋は樹脂よりなり、
前記爪は、蓋の周縁に接触しないことを特徴とする請求項２又は３記載のチェック装置のケース。
【請求項５】
前記ケースの内部底面に前記シャフトを回転可能に支持する穴を設けたことを特徴とする請求項１乃至４のいずれかに記載の記載のチェック装置のケース。
【発明の詳細な説明】
【技術分野】
【０００１】
本発明は、シャフトを回転可能に支持し、内部空間に圧力流体が設けられるチェック装置のケースに関する。
【背景技術】
【０００２】
チェック装置は、他の機器と接続されるシャフトを回転可能に支持し、内部に圧力流体が設けられるケースを有している（例えば特許文献１参照）。
このようなケースの材質は、金属又は樹脂のいずれか一方のみよりなっている。
【特許文献１】特開２００５−２６４６１６号公報
【発明の開示】
【発明が解決しようとする課題】
【０００３】
チェック装置のケースは、固定体に取り付けられる。そして、ケースに回転可能に支持されたシャフトは、固定体に対して移動する移動体に接続される。
よって、ケースのシャフトを回転可能に支持する部分は、ケースの固定部に取り付けられる部分に対して位置精度が良いことが要求される。また、内部に設けられる流体の圧力にも耐える強度も必要である。
【０００４】
本発明は、上記課題に鑑みてなされたもので、その課題は、寸法精度が良く、強度が高いチェック装置のケースを提供することにある。
【課題を解決するための手段】
【０００５】
請求項１に係る発明は、シャフトを回転可能に支持し、内部空間に圧力流体が設けられるチェック装置のケースにおいて、金属インサートと樹脂とからなり、前記金属インサートは、前記樹脂で埋め込まれる本体部と、前記樹脂で埋め込まれずに、前記ケースの外部まで延出するケース取付部とを有することを特徴とするチェック装置のケースである。
【０００６】
ケースはインサート成形法で製造される。インサート成型の際、金属インサートのケース取付部が金型に挟持される。
請求項２に係る発明は、前記ケースは、開放面を有し、前記金属インサートと前記樹脂からなる有底筒状のケース本体と、前記ケース本体の開放面を覆う蓋とからなり、前記金属インサートに、前記ケース本体の外部まで延出し、折曲されることにより前記開放面を塞いでいる前記蓋に当接し、前記蓋が前記開放面から離脱するのを禁止する爪が形成されていることを特徴とする請求項１記載のチェック装置のケースである。
【０００７】
請求項３に係る発明は、前記蓋の前記爪が当接する部分に、ストッパ面を形成し、前記爪に前記ストッパ面に当接可能なストッパ部を形成し、前記蓋が前記開放面より離脱する方向に移動すると、前記ストッパ面に前記ストッパ部が当接し、前記蓋の移動を禁止するようにしたことを特徴とする請求項２記載のチェック装置のケースである。
【０００８】
請求項４に係る発明は、前記蓋は樹脂よりなり、前記爪は、蓋の周縁に接触しないことを特徴とする請求項２又は３記載のチェック装置のケースである。
請求項５に係る発明は、前記ケースの内部底面に前記シャフトを回転可能に支持する穴を設けたことを特徴とする請求項１乃至４のいずれかに記載の記載のチェック装置のケースである。
【発明の効果】
【０００９】
請求項１−請求項５に係る発明によれば、ケースは、金属インサートと樹脂とからなるので、高強度で、軽量で、寸法精度がよい。
また、前記金属インサートは、前記樹脂で埋め込まれる本体部と、前記樹脂で埋め込まれずに、前記ケースの外部まで延出するケース取付部とを有してる。ケース取付部を固定金型に固定することで、金型のＰＬ（パーティングライン）面に沿う平面に対して位置決めされる。また、ケース取付部は型締め方向に押圧されつつ、金型に挟持されるので、キャビティに対して型締め方向にも位置決めされる。よって、ケース取付部に対して、ケースのシャフトを回転可能に支持する部分の位置精度がよい。又、ケース取付部の寸法精度のばらつきを金型によって補正できる。
【００１０】
請求項２に係る発明によれば、前記金属インサートに、爪が形成されていることにより、ケース本体と爪との強度が高い。そして、金属の爪を折曲することで、蓋がケース本体に取り付けられるので、溶着や接着に比べて蓋を強固にケース本体に取り付けることができる。また、爪を折曲するだけで、蓋の組付が完了するので、組付の時間も短い。
【００１１】
請求項３に係る発明によれば、前記蓋の前記爪が当接する部分に、ストッパ面を形成し、前記爪に前記ストッパ面に当接可能なストッパ部を形成し、前記蓋が前記開放面より離脱する方向に移動すると、前記ストッパ面に前記ストッパ部が当接し、前記蓋の移動を禁止するようにしたことにより、ケース本体の開放面から蓋が外れにくくなる。
【００１２】
請求項４に係る発明によれば、前記蓋は樹脂よりなり、前記爪は、蓋の周縁に接触しないことにより、ケース本体の開放面に対する蓋の位置決めを寸法精度の高い樹脂部材同士で行えるので正確にできる。
【００１３】
請求項５に係る発明によれば、前記ケースの内部底面に前記シャフトを回転可能に支持する穴を設けたことにより、ケース取付部に対する穴の位置精度がよい。
【発明を実施するための最良の形態】
【００１４】
本発明の形態例を図１〜図３を用いて説明する。図１はケースを説明する図、図２は図１のケースが設けられたチェック装置の分解斜視図、図３は図１のケースが設けられたチェック装置の外観図である。
【００１５】
最初に、図２、図３を用いて、チェック装置の説明を行う。これらの図において、ケース４は、開放面２を有した有底筒状のケース本体１と、ケース本体１の開放面２を覆う蓋１１とからなっている。尚、本形態例では、ケース本体１と蓋１１との間に図示しないシールリングを配置し、ケース本体１と蓋１１間の密封を行うようにした。
【００１６】
ケース本体１の内部底面３には、シャフト５の一方の端部側が嵌合し、シャフト５を回転可能に支持する穴７が形成されている。このケース１内には、粘性流体（例えば、オイル）が貯留されている。
【００１７】
シャフト５に沿って、フラップ９が取り付けられている。ケース１の開放面２を覆うように蓋１１が設けられる。蓋１１は樹脂成形法により製造され、シャフト５の他方の端部側が挿通し、シャフト５を回転可能に支持する穴１３が設けられている。そして、シャフト５の他方の端部側は、蓋１１の穴１３を介してケース４の外部まで延出し、本形態では、ドアのヒンジのヒンジピンに接続されるようになっている。
【００１８】
ドアのヒンジは、ボデー側ヒンジ、ドア側ヒンジ、ボデー側ヒンジ、ドア側ヒンジを挿通するヒンジピンからなっている。そして、本形態例のケース４をボデー側に設ける場合は、ヒンジピンはドア側のヒンジに固定され、逆にケース４をドア側に設ける場合は、ヒンジピンは、ボデー側のヒンジに固定される。
【００１９】
そして、ケース１内には、シャフト５を回転させる場合、シャフト５の位相角度によって異なる抵抗を与えるオリフィスや、シャフト５の回転開始時には、大きな抵抗が発生し、一旦シャフト５が回転を始めると、抵抗が小さくなるような機構が設けられている。
【００２０】
図１に示すように、ケース本体１は、インサート成形で製造され、プレス成形された金属インサート２１と樹脂からなっている。金属インサート２１は、樹脂で埋め込まれ、ケース本体１の骨格となる本体部２１ａと、樹脂で埋め込まれずにケース本体１の外部まで延出し、インサート成形時に金型に挟持されるケース取付部２１ｂ、ケース取付部２１ｃとからなっている。本体部２１ａには、ケース本体１の周面を構成する湾曲アーム部２１ｄが形成されている。
【００２１】
図１〜図３に示すように金属インサート２１には、ケース本体１の外部まで延出し、折曲されることにより開放面２を塞いでいる蓋１１の開放面２と対向する面と反対側の面に当接し、蓋１１が開放面２から離脱するのを禁止する第１爪２３、第２爪２５、第３爪２７が形成されている。更に、第１爪２３、第２爪２５の先端部側には、延出方向と交差する方向に延出するストッパ部２３ａ、２５ａが形成されている。本形態例では、第１爪２３、第２爪２５には、延出方向と略直交するように延出するストッパ部が２カ所設けられ、略Ｔ字状となっている。
【００２２】
図２〜図３に示すように、蓋１１の開放面２と対向する面と反対側の面には、折曲された第１爪２３、第２爪２５、第３爪２７が係合する第１爪係合部３３、第２爪係合部３５、第３爪係合部３７が形成されている。第１爪係合部３３、第２爪係合部３５には、
蓋１１が開放面２より離脱する方向に移動すると、第１爪２３、第２爪２５のストッパ部２３ａ、２５ａが当接し、蓋１１の移動を禁止するストッパ面３３ａ、３５ａが形成されている。
【００２３】
更に、折曲される前の第１爪２３、第２爪２５、第３爪２７は、開放面２を覆う蓋１１の周縁に接触しないような形状に設定されている。
そして、本形態例では、第１爪２３、第２爪２５は、フラップ９の可動範囲の両端部に位置するように設けられている。
【００２４】
このような構成によれば、以下のような効果を得ることができる。
（１）ケース本体１は、金属インサート２１と樹脂とからなるので、高強度で、軽量で寸法精度がよい。
（２）金属インサート２１は、樹脂で埋め込まれる本体部２１ａと、樹脂で埋め込まれずにケース本体１の外部まで延出し、インサート成形時に金型に挟持されるケース取付部２１ｂ、２１ｃとを有している。ケース取付部２１ｂ、２１ｃを固定金型に固定することで、金型のＰＬ（パーティングライン）面に沿う平面に対して位置決めされる。また、ケース取付部２１ｂ、２１ｃは型締め方向に押圧されつつ、金型に挟持されるので、キャビティに対して型締め方向にも位置決めされる。よって、ケース取付部２１ｂ、２１ｃに対して、ケース本体１の穴７（シャフト５を回転可能に支持する部分）の位置精度がよい。
【００２５】
ケース取付部２１ｂ、ケース取付部２１ｃに対する蓋１１の穴１３の位置精度は、蓋１１の樹脂部分とケース本体１の樹脂部分との嵌合によって担われるため、位置精度が高い。
（３）金属インサートに、第１爪２３、第２爪２５、第３爪２７が形成されていることにより、ケース本体１と第１爪２３、第２爪２５、第３爪２７との強度が高い。
（４）金属の第１爪２３、第２爪２５、第３爪２７を折曲することで、蓋１１がケース本体１に取り付けられるので、溶着や接着に比べて蓋１１を強固にケース本体に取り付けることができる。更に、溶着や接着に比べて、ケース本体１と蓋１１との間の密封性、位置精度（特に、ケース取付部２１ｂ、２１ｃに対する穴１３の位置精度）がよい。
（５）第１爪２３、第２爪２５、第３爪２７を折曲するだけで、蓋１１の組付が完了するので、組付の時間も短い。
（６）蓋１１の第１爪係合部３３、第２爪係合部３５には、第１爪２３、第２爪２５のストッパ部２３ａ、２５ａが当接するストッパ面３３ａ、３５ａを形成し、蓋１１が開放面２より離脱する方向に移動すると、ストッパ面３３ａ、３５ａにストッパ部２３ａ、２５ａが当接し、蓋１１の移動を禁止するようにしたことにより、ケース本体１の開放面２から蓋１１が外れにくくなる。
（７）折曲される前の第１爪２３、第２爪２５、第３爪２７は、開口面２を覆う蓋１１の周縁に接触しないような形状である、即ち、第１爪２３、第２爪２５、第３爪２７が蓋１１を側方に移動させないことにより、ケース本体１の開放面２に対する蓋１１の位置決めを正確にできる。
（８）金属インサート２１は熱伝導率が高いので、ケース取付部２１ｂ、２１ｃは、成形時の樹脂のヒケ防止に役立つ。
【００２６】
尚、本発明は、上記形態例に限定するものではない。上記形態例では、チェック装置で説明を行ったが、他に、他の機器と接続されるシャフトを回転可能に支持し、内部空間に圧力流体が設けられるケースを有するロータリポンプ、ロータリダンパでも、適用可能である。
【００２７】
また、第１爪２３、第２爪２５には、延出方向と略直交する方向に延出するストッパ部を２カ所設け、略Ｔ字状としたが、各爪にストッパ部を１つとし、略Ｌ字形としてもよい。
【図面の簡単な説明】
【００２８】
【図１】ケースを説明する図である。
【図２】図１のケースが設けられたチェック装置の分解斜視図である。
【図３】図１のケースが設けられたチェック装置の外観図である。
【符号の説明】
【００２９】
１  ケース本体
１１  蓋
２１  金属インサート
２１ａ  本体部
２１ｂ、２１ｃ  ケース取付部
【図１】
2008111284.tif 000003
【図２】
2008111284.tif 000004
【図３】
2008111284.tif 000005